(57)【要約】【課題】本発明は、会社の役職員のための健康運動栄養管理システムに関する。【解決手段】本発明の会社の役職員のための健康運動栄養管理システムは、健康運動栄養管理アプリケーションがダウンロードされる複数の会社の役職員のスマート機器と、前記スマート機器と有無線通信を通じて、前記会社の役職員の健康運動栄養情報を受信し、当該情報を加工して、パーソナライズされた健康運動栄養サービスを提供するサーバーと、前記サーバーと前記有無線通信または専用線を利用して前記健康運動栄養情報を共有、及び活用する管理者向け端末機とを含む。このような構成によると、役職員はパーソナライズされた健康運動栄養管理サービスの提供を受けることができ、会社はこれらの情報を利用して生産性向上に活用することができる。【選択図】図２
2014199520.tif 000002
【特許請求の範囲】
【請求項１】
健康運動栄養管理アプリケーションがダウンロードされる複数の会社の役職員のスマート機器と、
前記スマート機器と有無線通信を通じて、前記会社の役職員の健康運動栄養情報を受信し、当該情報を加工して、パーソナライズされた健康運動栄養サービスを提供するサーバーと、
前記サーバーと前記有無線通信、または専用線を利用して前記健康運動栄養情報を共有及び活用する管理者向け端末機と
を含んで構成されることを特徴とする会社の役職員のための健康運動栄養管理システム。
【請求項２】
前記スマート機器は、位置情報サービス（Ｌｐｃａｔｉｏｎ  Ｂａｓｅｄ  Ｓｅｒｖｉｃｅ）が提供される移動通信端末機を含むことを特徴とする請求項１に記載の健康運動栄養管理システム。
【請求項３】
前記管理者向け端末機は、前記会社の役職員の同意を得て、前記役職員全体の健康運動栄養情報を前記サーバーから提供受け、当該情報に基づいて企業レベルでの健康運動栄養のためにイベントプロモーションを進行することを特徴とする請求項１に記載の健康運動栄養管理システム。
【請求項４】
前記スマート機器は、
入力モジュール及び出力モジュールを含むユーザインターフェースと、
前記スマート機器を通じて前記役職員の健康運動栄養情報を収集するデータ収集部と、
前記スマート機器と前記サーバーとの間に、相互インターフェースができるようにする通信部と、
前記入力モジュール、及び前記データ収集部を通じて、それぞれ獲得される前記会社の役職員の健康運動栄養情報を収集、保存、処理、及び出力し、前記健康運動栄養管理アプリケーションに基づいて前記スマート機器の全般的な作動を制御するメインプログラム制御部と
を含んで構成されることを特徴とする請求項１に記載の会社の役職員のための健康運動栄養管理システム。
【請求項５】
前記データ収集部は、前記スマート機器の位置情報の提供を受けるＧＰＳ受信機を含んで構成されることを特徴とする請求項４に記載の会社の役職員のための健康運動栄養管理システム。
【請求項６】
前記データ収集部は、加速度センサーをさらに含んで構成されることを特徴とする請求項５に記載の会社の役職員のための健康運動栄養管理システム。
【請求項７】
前記健康運動栄養管理アプリケーションは、
運動モジュールと
運動記録モジュールと、
パーソナライズド管理モジュールと、
利用案内モジュールと
を含んで構成されることを特徴とする請求項１に記載の会社の役職員のための健康運動管理システム。
【請求項８】
前記運動モジュールは、当日の運動情報を表示する機能と、このためのユーザインターフェースとを提供し、
前記運動記録モジュールは、アバターを利用してユーザの各身体部位別の運動記録を表示する機能と、このためのユーザインターフェースとを提供し、
前記パーソナライズド管理モジュールは、周期別にユーザに応じてパーソナライズされた健康運動管理に関する提案を報告する機能と、このためのユーザインターフェースとを提供し、
前記利用案内モジュールは、ログイン情報、お知らせ、設定、プログラム紹介、または公園案内を表示する機能と、このためのユーザインターフェースを提供することを特徴とする請求項７に記載の会社の役職員のための健康運動管理システム。
【請求項９】
スマート機器において、健康運動栄養管理アプリケーションを実行して、デスクトップ画面にスマートアイコンが提供される段階と、
前記スマートアイコンが選択されると、前記健康運動栄養管理アプリケーションのメイン画面が提供され、前記メイン画面は運動メニュー、運動記録メニュー、及びパーソナライズド管理メニューが表示される段階と
を含んで構成されることを特徴とする会社の役職員のための健康運動栄養管理方法。
【請求項１０】
前記運動メニューが選択されると、運動スタートボタンを通じて、ＧＰＳ運動チェックが本格的に実行され、ＧＰＳ運動によるＧＰＳ運動記録が地図、またはテーブルの形態で  表示される段階と、
前記運動記録メニューが選択されると、運動記録の詳細表示を通じて身体部位別に運動記録が表示される段階と、
前記パーソナライズド管理メニューが選択されると、要求時の健康運動栄養管理に関する提案報告書がメールで発送される段階と
を含んで構成されることを特徴とする請求項９に記載の会社の役職員のための健康運動栄養管理方法。
【発明の詳細な説明】
【技術分野】
【０００１】
本発明は、会社の役職員のための健康運動栄養管理システム及びその方法に関するもので、特にユーザの健康運動栄養情報がユーザインターフェースを通じて直接入力される、またはスマート機器に搭載されたＧＰＳ受信機を通じて自動的に収集され、健康運動栄養管理アプリケーションを通じて、これらの収集情報が保存、加工処理され出力されることで、役職員はパーソナライズされた健康運動栄養管理サービスの提供を受けることができ、会社はこれらの情報を利用して、生産性の向上に活用できる会社の役職員のための健康運動栄養管理システム及びその方法に関する。
【背景技術】
【０００２】
一般的に、現代の職場は、熾烈な競争の中でひたすら仕事に沒頭し、肉体的・精神的な健康の悪化が問題となっている。そこで、企業レベルでの役職員の健康運動栄養管理の必要性が浮かび上がっている 。
【０００３】
例えば、ゾンスンエンゾンスンは、１９９５年以来従業員の健康運動栄養管理に積極的に投資し、その結果、喫煙者の３分の２、高血圧患者の２分の１以上が減少し、欠勤率も７８%減少し、職員健康運動栄養管理費用で１ドルを使う度に２.７１ドルの医療費用削減効果が発生すると報告した（２００２〜２００８年の間、総削減額２億５千万ドル）。
【０００４】
一方、スマートフォンの韓国内移動電話加入者数はますます増加し、最近、人口比普及率が１００%を越えており、移動電話加入者１人１フォンを越えて１人多フォンの時代に至った。
【０００５】
このようなスマートフォンを利用して、パーソナライズされた健康運動栄養管理の必要性が提起されている。また、このために様々なスマートフォン向けアプリケーション・ソリューションの開発が進行されつつある。
【発明の概要】
【発明が解決しようとする課題】
【０００６】
したがって、本発明は、前述したような従来技術の問題点を解決するためになされたもので、本発明の目的は、会社の役職員のための、パーソナライズされた健康運動管理用のスマートフォン向けアプリケーション・ソリューションを提供することにある。
【０００７】
本発明の他の目的は、スマートフォンの位置情報サービスを利用して運動することを実行し、運動記録がすぐに確認できるスマートフォン向けアプリケーション・ソリューションを提供することである。
【０００８】
本発明のまた他の目的は、会社が会社の役職員の健康運動栄養情報を共有して、会社レベルでの健康運動栄養の改善のためのスマートフォン向けアプリケーション・ソリューションを提供することである。
【課題を解決するための手段】
【０００９】
前述のような目的を達成するための本発明の特徴によると、本発明の会社の役職員のための健康運動栄養管理システムは、健康運動栄養管理アプリケーションがダウンロードされる複数の会社の役職員のスマート機器と、前記スマート機器と有無線の通信を通じて、前記会社の役職員の健康運動栄養情報を受信し、当該情報を加工して、パーソナライズされた健康運動栄養サービスを提供するサーバー、及び前記サーバーと前記有無線通信、または専用線を利用して、前記健康運動栄養情報を共有、及び活用する管理者向け端末機とを含む。
【００１０】
本発明の他の特徴によると、本発明の会社の役職員のための健康運動栄養管理方法は、スマート機器で健康運動栄養管理アプリケーションを実行して、デスクトップ画面にスマートアイコンが提供される段階と、前記スマートアイコンを選択すると、前記健康運動栄養管理アプリケーションのメイン画面が提供され、前記メイン画面は運動メニュー、運動記録メニュー、及びパーソナライズド管理メニューが表示される段階とを含む。
【発明の効果】
【００１１】
前述したように、本発明の構成によると、次のような効果が期待できる。
【００１２】
第一、個人レベルでは健康運動栄養管理アプリケーションを通じて、健康運動栄養に関する関心が高まり、役職員の健康増進に寄与する効果がある。
【００１３】
第二、企業レベルでは健康運動栄養管理アプリケーションを通じて、役職員の健康運動栄養が改善され、企業の生産性向上に寄与する効果がある。
【図面の簡単な説明】
【００１４】
【図１】本発明による健康運動栄養管理システムのブロック図。
【図２】本発明によるユーザ端末機の構成を示すブロック図。
【図３】本発明による健康運動栄養管理アプリのメニューの構成を示すテーブル。
【図４ａ】本発明によるスマート機器のデスクトップ画面及びメイン画面のユーザインターフェースを示す画面実施例。
【図４ｂ】本発明によるスマート機器のデスクトップ画面及びメイン画面のユーザインターフェースを示す画面実施例。
【図５ａ】本発明による運動メニューの画面実施例。
【図５ｂ】本発明による運動メニューの画面実施例。
【図５ｃ】本発明による運動メニューの画面実施例。
【図６ａ】本発明による運動記録メニューの画面実施例。
【図６ｂ】本発明による運動記録メニューの画面実施例。
【図６ｃ】本発明による運動記録メニューの画面実施例。
【図６ｄ】本発明による運動記録メニューの画面実施例。
【図７ａ】本発明によるパーソナライズド管理メニューの画面実施例。
【図７ｂ】本発明によるパーソナライズド管理メニューの画面実施例。
【図７ｃ】本発明によるパーソナライズド管理メニューの画面実施例。
【図８ａ】本発明による利用案内メニューの画面実施例。
【図８ｂ】本発明による利用案内メニューの画面実施例。
【図８ｃ】本発明による利用案内メニューの画面実施例。
【図８ｄ】本発明による利用案内メニューの画面実施例。
【図８ｅ】本発明による利用案内メニューの画面実施例。
【図８ｆ】本発明による利用案内メニューの画面実施例。
【図９】本発明による全体健康運動栄養管理サービスの全体フローチャート。
【図１０】本発明による運動の詳細フローチャート。
【図１１】本発明による運動記録の詳細フローチャート。
【図１２】本発明によるパーソナライズド管理の詳細フローチャート。
【図１３】本発明による利用案内の詳細フローチャート。
【発明を実施するための形態】
【００１５】
本発明の利点と特徴、及びこれらを達成する方法は、添付する図面に基づいて詳細に後述されている実施例を参照すると明確になる。但し、本発明は、以下に開示する実施例に限定されるものではなく、異なる様々な形態で具現されることができる。なお、本実施例は、本発明の開示を完全にし、本発明が属する技術分野で通常の知識を有する者に、発明の範疇を完全に知らせるために提供されるものであり、本発明は請求項の範疇によって正義されるだけである。図面において、層及び領域の大きさ、及び相対的な大きさは 、説明の明瞭化のために誇張されている場合がある。明細書全体にわたって、同一参照符号は同一構成要素を指す。
【００１６】
以下、上述したような構成を有する本発明による会社の役職員のための健康運動栄養管理システムの望ましい実施例を添付の図面を参考しつつ詳細に説明する。
【００１７】
図１は、本発明による健康運動栄養管理システムを示している。
【００１８】
図１に示すように、会社の役職員のための健康運動栄養管理システム１０は、健康運動栄養管理アプリケーション（以下、「アプリ」という）がダウンロードされるスマート機器のユーザ端末機１００と、ユーザ端末機１００とネットワーク（Ｎ）を通じて連結されて遠隔でユーザの健康運動栄養情報を受信し、これらの情報を加工してユーザに応じてパーソナライズされた健康運動栄養サービスを提供するサーバー２００と、サーバー２００からユーザの健康運動栄養情報の提供を受けて、企業レベルで健康運動栄養政策を提示する、または役職員の健康運動栄養に必要とされる情報をサービスする管理者向け端末機３００とを含む。
【００１９】
ユーザ端末機１００は、スマートフォン、携帯電話、アイフォン、ノートブックコンピューターなどの移動通信端末機を含むことができる。ネットワーク（Ｎ）を通じるインターネット有線通信や近距離無線通信など様々な有無線通信機能を有するものであれば、いずれも含まれることができる。例えば、位置情報サービス（ＬＢＳ）が提供されるスマートフォンであれば良い。
【００２０】
サーバー２００は、健康運動栄養管理サービスを提供する。
【００２１】
管理者向け端末機３００は、サーバー２００を通じてユーザの同意を得て、ユーザの健康運動栄養情報を取得し、ユーザの健康運動栄養情報に基づく健康運動栄養サービスを案内するか、または企業の生産性向上に活用することができる。例えば、管理者向け端末機３００を利用して役職員全体の健康運動栄養の内訳が把握されると、個人レベルで健康運動栄養が管理される以外に、企業レベルで健康運動栄養が管理されることで、企業レベルでの様々なイベントプロモーションが可能であり、役職員の健康運動栄養への関心度を高めることができる。
【００２２】
管理者向け端末機３００は、有無線ネットワーク（Ｎ）を通じて健康運動栄養管理システム１０を利用することができ、または直接サーバー２００と専用線を利用して健康運動栄養管理サービスを実施することができる。
【００２３】
図２は、本発明によるユーザ端末機の内部構成を示している。
【００２４】
図２に示すように、ユーザ端末機１００は、入力モジュール１０２と出力モジュール  １０４を含むユーザインターフェース１１０と、ユーザの健康運動栄養情報を収集するデータ収集部１２０と、ネットワーク（Ｎ）を通じてユーザ端末機１００とサーバー２００との間に、健康運動栄養情報を相互インターフェース可能にする通信部１３０と、ユーザインターフェース１１０またはデータ収集部１２０を通じて獲得されたユーザ健康運動情報を収集、保存、処理、及び出力し、健康運動栄養管理アプリに基づいて、スマート機器の全般的な作動を制御するメインプログラム制御部１４０と、健康運動栄養管理アプリのプログラムなどが保存されるＤＢ部１５０とを含むことができる。
【００２５】
ユーザインターフェース１１０は、ユーザの健康運動栄養情報を直接入力することができる入力モジュール１０２と、ユーザに応じてパーソナライズされた運動提案を出力する出力モジュール１０４とを含むことができる。入力モジュール１０２は、外部装置（例えば、キーボード、マウス、タッチパッド、またはマイク）と、情報を交換することができるユーザインターフェース１１０とを含む。出力モジュール１０４は、視覚的な情報を伝達するディスプレーモジュール（例えば、ＬＥＤパネル）と、聴覚的な情報を伝達するサウンド提供モジュール（例えば、スピーカー）と、触覚的な情報を伝達するモジュール（例えば、震動バイブレーター）と、その他、一切の情報を伝達するユーザインターフェース１１０とを含むことができる。
【００２６】
データ収集部１２０は、位置情報の提供を受けるＧＰＳ受信機１２２を含むことができる。データ収集部１２０は、加速度センサー１２４をさらに含むことができる。加速度センサー１２４は、ユーザの運動速度を測定することで健康状態を把握することができる。ユーザの平均速度は、ＧＰＳ受信機１２２によって測定されるが、瞬間速度または最大速度などは加速度センサー１２４を利用して測定されることができる。
【００２７】
その他、データ収集部１２０は、ユーザの健康状態を周辺環境とともに把握できるようにするために、温度センサー、または湿度センサーなどをさらに含むことができる。例えば、温度センサー、または湿度センサーを利用して周辺温度及び湿度が感知されると、季節や室内外の状況などに応じる相対的な運動強度を測定することができる。
【００２８】
図３は、本発明による健康運動栄養管理アプリのメニューの構成を示すテーブルである。
【００２９】
図２及び図３に示すように、健康運動栄養管理アプリは、運動モジュール１４２、運動記録モジュール１４４、パーソナライズド管理モジュール１４６、及び利用案内モジュール１４８のうちのいずれか一つ以上のモジュールを含む。
【００３０】
運動モジュール１４２は、当日の運動情報を表示する機能と、このためのユーザインターフェースを提供することができる。
【００３１】
運動記録モジュール１４４は、アバターを利用してユーザの各身体部位別の運動記録を表示する機能と、このためのユーザインターフェースを提供することができる。
【００３２】
パーソナライズド管理モジュール１４６は、周期別にユーザに応じてパーソナライズされた健康運動管理に関する提案を報告する機能と、このためのユーザインターフェースを提供することができる。
【００３３】
利用案内モジュール１４８は、ログイン情報、お知らせ、設定、プログラム紹介、及び公園案内などを表示する機能と、このためのユーザインターフェースを提供することができる。
【００３４】
以下、健康運動栄養管理システム１０の動作をユーザインターフェース画面の例を挙げて、具体的に説明する。
【００３５】
図４ａ及び図４ｂは、本発明によるスマート機器のデスクトップ画面及びメイン画面のユーザインターフェースの一実施例を示している。
【００３６】
図４ａに示すように、健康運動栄養管理アプリをユーザ端末機１００、即ちスマート機器にダウンロードしてインストールすると、デスクトップ画面４１０にすぐに選択できるようにスマートアイコン４１２が位置付けられる。ユーザがスマートアイコン４１２を選択すると、健康運動栄養管理アプリ画面（図４ｂの４２０）、即ち、初期起動画面が表示される。
【００３７】
図４ｂに示すように、メイン画面４２０の一側には健康運動栄養管理アプリの代表的なメニューである運動メニュー５００、運動記録メニュー６００、パーソナライズド管理メニュー７００、及び利用案内メニュー８００が表示される。
【００３８】
図５ａ乃至図８ｆは、メイン画面で特定メニューが選択された場合の詳細画面の実施例を示している。
【００３９】
図５ａ乃至図５ｃは、運動メニュー５００が選択された場合の画面の実施例を示している。
【００４０】
図５ａに示すように、運動メニュー５００が選択されると、ユーザは運動モジュール（図２の１４２）を通じて、ユーザの運動時間５１２、運動距離５１４、運動速度５１６、及び消耗カロリー５１８などを確認することができる。例えば、運動スタートボタン５２０をクリックすると、ＧＰＳ受信機１２２で運動時間５１２が測定され、ＧＰＳ受信機１２２で運動距離５１４が測定され、上記の運動時間５１２と運動距離５１４によって運動速度５１６が演算され、これに基づいて消耗カロリー５１８が計算されることができる。
【００４１】
図５ｂ及び図５ｃに示すように、左右にドラックすると、地図５３２を通じて、運動情報が表示されるか、またはテーブル５３４で表示されることができる。
【００４２】
図６ａ乃至図６ｄは、運動記録メニュー６００が選択された場合の画面の実施例を示している。
【００４３】
図６ａ乃至図６ｄに示すように、ユーザは、アバター（または、キャラクター）の各身体部位６１０をクリックすると、運動記録モジュール（図２の１４４）を通じて、身体部位別の運動記録を確認することができる。このために、予め入力モジュール（図２の１０２）を通じて、ユーザの身体情報６３０を入力しておくことができる。例えば、性別、体重、及び年齢などが入力されれば、男女性別、低体重、標準体重、過体重、小児、青少年、成人、中年、老人によって異なるアバターが設定されることができる。
【００４４】
図７ａ乃至図７ｃは、パーソナライズド管理メニュー７００が選択された場合の画面の実施例を示している。
【００４５】
図７ａ乃至図７ｃに示すように、ユーザは、パーソナライズド管理モジュール（図２の１４６）を通じて、週、月または分期別に、ユーザに応じてパーソナライズされた健康運動栄養管理に関する提案・報告を受けることができる。例えば、ユーザは筋力トレーニングプログラム７１０、及び有酸素運動プログラム７２０の提供を受けることができる。例えば、レッグプレスで何回の筋力トレーニングをし、普通の速度で何分間走る運動をし、その間、どのくらいの休息時間が必要かをサービスする。特に運動前に準備運動としてストレッチングをどのようにするかをサービスする。また、体成分７３０や疾病に関連した運動指針７４０の提供を受けることができる。
【００４６】
図８ａ乃至図８ｆは、利用案内メニュー８００、及びその詳細メニューが選択された場合の画面の実施例を示している。
【００４７】
図８ａに示すように、利用案内メニュー８００をクリックすると、各詳細メニュー（８１０乃至８５０）を選択することができる。図８ｂに示すように、ログイン情報メニュー８１０を通じて、パスワードを設定することができる。図８ｃに示すように、お知らせメニュー８２０を通じて、お知らせの伝達を受けることができる。図８ｄに示すように、設定メニュー８３０を通じて、基本情報を入力することができる。図８eに示すように、アプリ紹介メニュー８４０を通じて、サービスの趣旨を把握することができる。図８ｆに示すように、公園案内メニュー８５０を通じて、地域別の公園案内の提供を受けることができる。
【００４８】
図９は、全体健康運動栄養管理サービスの全体フローチャートを示したものである。
【００４９】
図９に示すように、デスクトップ画面（図４ａの４１０）のスマートアイコン（図４ａの４１２）を選択して、メイン画面（図４ｂの４２０）に移動すると（Ｓ１１０）、所定の会員登録手続き（Ｓ１２０）、または会員登録がされている場合、ログイン手続き（Ｓ１３０）を通じて、運動メニュー（図４ｂの５００）、運動記録メニュー（図４ｂの６００）、パーソナライズド管理メニュー（図４ｂの７００）、及び利用案内メニュー（図４ｂの８００）（順にＳ２００、Ｓ３００、Ｓ４００、及びＳ５００）のうちのいずれか一つを選択することができる。
【００５０】
図１０は、運動メニュー５００が選択された場合（Ｓ２００）の運動の詳細フローチャートを示したものである。
【００５１】
図１０に示すように、運動メニュー（図４ｂの５００）が選択されると、運動スタートボタン（図５ａの５２０）をクリックして（Ｓ２１０）、ＧＰＳ運動チェックが本格的に実行される（Ｓ２２０）。別途の選択がなくても、ＧＰＳ運動によるＧＰＳ運動記録が地図（図５ｃの５３２）、またはテーブル（図５ｃの５３４）で表示されることができる（Ｓ２３０）。
【００５２】
図１１は、運動記録メニュー６００が選択された場合（Ｓ３００）の運動記録の詳細フローチャートを示したものである。
【００５３】
図１１に示すように、運動記録メニュー（図６ａの６００）が選択されると（Ｓ３００）、運動記録の詳細表示を通じて（Ｓ３１０）、身体部位（図６ｂの６１０）別に運動記録を見ることができ（Ｓ３１２）、身体情報表示を通じて（Ｓ３２０）、身体情報記録を見ることができ（Ｓ３２２）、必要であれば、身体情報（図６ｄの６３０）を直接登録することができ（Ｓ３２４）、運動カロリー表示を通じて（Ｓ３３０）、一日運動記録（図６ｃの６００）を確認することができる。
【００５４】
図１２は、パーソナライズド管理メニュー７００が選択された場合（Ｓ４００）のパーソナライズド管理の詳細フローチャートを示したものである。
【００５５】
図１２に示すように、パーソナライズド管理メニュー７００が選択されると（Ｓ４００）、健康運動栄養管理に関する提案報告書（図７ｂの７１０、７２０、図７ｃの７３０、７４０を参照）を生成するかどうかを確認し（Ｓ４１０）、確認を希望する場合は、ホームページを通じて健康運動栄養アンケート調査を実施した後、メールで健康運動栄養管理に関する提案報告書を発送することができる（Ｓ４２０）。
【００５６】
図１３は、利用案内メニュー８００が選択された場合（Ｓ５００）の利用案内の詳細フローチャートを示したものである。
【００５７】
図１３に示すように、ログイン情報メニュー８１０が選択されると（Ｓ５１０）、パスワード変更及び/または電子メールの変更の機会が与えられ（Ｓ５１２）、お知らせメニュー８２０が選択されると（Ｓ５２０）、お知らせの伝達を受けることができ（Ｓ５２２）、設定メニュー８３０が選択されると、様々な情報を設定することができ（Ｓ５３２）、アプリ紹介メニュー８４０が選択されると、サービスの趣旨が紹介され（Ｓ５４２）、公園案内メニュー８５０が選択されると（Ｓ５５０）、 市／道、群／区別の公園リストが提供され、公園に設置されている運動施設などを詳細に紹介する（Ｓ５５２）。
【００５８】
以上の如く、本発明によれば、会社の役職員のため、パーソナライズされた健康運動管理スマートフォンアプリ・ソリューションの構成を技術的思想としていることが分かる。このような本発明の基本的な技術的思想の範疇内で、当業界で通常の知識を有する者においては、その他の様々な変更が可能である。
【符号の説明】
【００５９】
１０  健康運動栄養管理システム
１００  ユーザ端末機
１０２  入力モジュール
１０４  出力モジュール
１１０  ユーザインターフェース
１２０  データ収集部
１２２  ＧＰＳ受信機
１２４  加速度センサー
１３０  通信部
１４０  メインプログラム制御部
１４２  運動モジュール
１４４  運動記録モジュール
１４６  パーソナライズド管理モジュール
１４８  利用案内モジュール
１５０  ＤＢ部
２００  サーバー
３００  管理者向け端末機
５００  運動メニュー
５１２  運動時間
５１４  運動距離
５１６  運動速度
５１８  消耗カロリー
５２０  運動スタートボタン
５３２  地図
５３４  テーブル
６００  運動記録メニュー
６１０  身体部位
６３０  身体情報
７００  パーソナライズド管理メニュー
７１０  筋力トレーニングプログラム
７２０  有酸素運動プログラム
７３０  体成分
７４０  疾病に関連した運動指針
８００  利用案内メニュー
８１０  ログイン情報メニュー
８２０  お知らせメニュー
８３０  設定メニュー
８４０  紹介メニュー
８５０  公園案内メニュー
【図１】
2014199520.tif 000003
【図２】
2014199520.tif 000004
【図３】
2014199520.tif 000005
【図４ａ】
2014199520.tif 000006
【図４ｂ】
2014199520.tif 000007
【図５ａ】
2014199520.tif 000008
【図５ｂ】
2014199520.tif 000009
【図５ｃ】
2014199520.tif 000010
【図６ａ】
2014199520.tif 000011
【図６ｂ】
2014199520.tif 000012
【図６ｃ】
2014199520.tif 000013
【図６ｄ】
2014199520.tif 000014
【図７ａ】
2014199520.tif 000015
【図７ｂ】
2014199520.tif 000016
【図７ｃ】
2014199520.tif 000017
【図８ａ】
2014199520.tif 000018
【図８ｂ】
2014199520.tif 000019
【図８ｃ】
2014199520.tif 000020
【図８ｄ】
2014199520.tif 000021
【図８ｅ】
2014199520.tif 000022
【図８ｆ】
2014199520.tif 000023
【図９】
2014199520.tif 000024
【図１０】
2014199520.tif 000025
【図１１】
2014199520.tif 000026
【図１２】
2014199520.tif 000027
【図１３】
2014199520.tif 000028